(57)【要約】【課題】従来の無線通信システムでは、一次内挿により送受信間のチャネルを推定すると推定誤差が大きい場合がある。【解決手段】無線通信システムは送信装置１と受信装置２とを備え、送信装置１は、受信装置２がチャネルを推定するために使用するパイロットシンボルと既知のプリアンブルシンボルとを送信データに付加するパイロット信号・プリアンブル信号付加部１０１と、パイロット位置制御部１１７とを有し、受信装置２は、プリアンブルシンボルからチャネルの推定結果が最適になるようなパイロットシンボルの配置位置を推定するパイロット信号配置最適制御部１１２と、推定されるパイロットシンボルの最適配置位置の情報を送信装置に送信するチャネル情報用送信アンテナ１１４とを有し、パイロット位置制御部１１７は最適配置位置の情報に応じて付加されるパイロットシンボルの配置位置を変更する。【選択図】図１
2010136055.tif 000002
【特許請求の範囲】
【請求項１】
無線通信により信号を送信する送信装置と、前記送信装置からの信号を受信する受信装置とを備え、
前記送信装置は、自装置によって送信される信号のチャネルを前記受信装置が推定するために使用するパイロットシンボルと前記受信装置にとって既知のプリアンブルシンボルとを送信データに付加する付加手段と、前記付加手段によって付加される前記パイロットシンボルの配置位置を変更する変更手段と、前記受信装置からの信号を受信する受信手段とを有し、
前記受信装置は、前記送信装置によって付加される前記プリアンブルシンボルから前記送信装置によって送信される信号のチャネルの推定結果が最適になるような前記パイロットシンボルの配置位置を推定する推定手段と、前記推定手段によって推定される前記パイロットシンボルの最適配置位置の情報を前記送信装置に送信する送信手段とを有し、
前記受信手段は、前記送信手段によって送信される前記最適配置位置の情報を受信し、
前記変更手段は、前記受信手段によって受信される前記最適配置位置の情報に応じて前記付加手段によって付加される前記パイロットシンボルの配置位置を変更する
ことを特徴とする無線通信システム。
【請求項２】
前記推定手段は、前記推定結果が最適になるように前記パイロットシンボルの数を必要かつ十分な数に増加させて前記パイロットシンボルの配置位置を推定する
ことを特徴とする請求項１に記載の無線通信システム。
【請求項３】
前記推定手段は、全信号をパイロットシンボルにあらかじめ設定し、前記推定結果が最適になるように前記パイロットシンボルの数を必要かつ十分な数に減少させて前記パイロットシンボルの配置位置を推定する
ことを特徴とする請求項１に記載の無線通信システム。
【発明の詳細な説明】
【技術分野】
【０００１】
本発明は、無線通信システムに関する。
【背景技術】
【０００２】
従来の無線通信システムにおいては、受信側でチャネルの状態を知ることができるようにするため、送信側で受信側にとって既知の信号を付加する。
【０００３】
この既知の信号は、送信側で、ある一定のシンボル若しくはキャリア又は一定間隔のシンボル若しくはキャリアに付加される信号であって、一般的にこれらの信号はパイロット信号と呼ばれる。
【０００４】
受信側ではこのパイロット信号間の内挿等を行ない、送受信間のチャネルを推定する。
【０００５】
ところで、受信側での受信品質値を送信側にフィードバックし、その受信品質値に応じて、パイロットデータ配置形式、パイロットシンボル数及び電力増幅率を変化させてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号の送信信号フレームを生成する技術が知られている（たとえば、特許文献１参照）。
【特許文献１】特開２００５−２７２９４号公報
【発明の開示】
【発明が解決しようとする課題】
【０００６】
チャネルを推定する際に行なう内挿としては一次内挿や二次内挿などの方法があるが、実装規模を考慮すると一次内挿が良い。しかしながら、一次内挿ではパイロット信号の配置位置によってはチャネルの推定誤差が大きくなり、等化性能が劣化する場合がある。
【０００７】
特許文献１により開示されている技術では、上記課題は解決できない。
【０００８】
本発明は、上記課題を考慮し、一次内挿でも送受信間のチャネルの推定誤差を小さくする無線通信システムを提供することを目的とする。
【課題を解決するための手段】
【０００９】
上記課題を解決し上記目的を達成するために、本発明の無線通信システムは、無線通信により信号を送信する送信装置と、前記送信装置からの信号を受信する受信装置とを備え、前記送信装置が、自装置によって送信される信号のチャネルを前記受信装置が推定するために使用するパイロットシンボルと前記受信装置にとって既知のプリアンブルシンボルとを送信データに付加する付加手段と、前記付加手段によって付加される前記パイロットシンボルの配置位置を変更する変更手段と、前記受信装置からの信号を受信する受信手段とを有し、前記受信装置が、前記送信装置によって付加される前記プリアンブルシンボルから前記送信装置によって送信される信号のチャネルの推定結果が最適になるような前記パイロットシンボルの配置位置を推定する推定手段と、前記推定手段によって推定される前記パイロットシンボルの最適配置位置の情報を前記送信装置に送信する送信手段とを有し、前記受信手段が、前記送信手段によって送信される前記最適配置位置の情報を受信し、前記変更手段が、前記受信手段によって受信される前記最適配置位置の情報に応じて前記付加手段によって付加される前記パイロットシンボルの配置位置を変更するシステムである。
【００１０】
このように、本発明の無線通信システムでは、受信装置が、送信装置によって付加されるプリアンブルシンボルから送信装置によって送信される信号のチャネルの推定結果が最適になるようなパイロットシンボルの配置位置を推定し、パイロットシンボルの最適配置位置の情報を送信装置に送信する。そして、送信装置が、受信装置からの最適配置位置の情報に応じて付加手段によって付加されるパイロットシンボルの配置位置を変更する。これにより、一次内挿でも送受信間のチャネルの推定誤差が小さくなるように、パイロットシンボルの配置位置が変更される。その結果、本発明の無線通信システムにより、一次内挿でも送受信間のチャネルの推定誤差を小さくすることができる。
【００１１】
なお、前記推定手段は、前記推定結果が最適になるように前記パイロットシンボルの数を必要かつ十分な数に増加させて前記パイロットシンボルの配置位置を推定してもよい。また、前記推定手段は、全信号をパイロットシンボルにあらかじめ設定し、前記推定結果が最適になるように前記パイロットシンボルの数を必要かつ十分な数に減少させて前記パイロットシンボルの配置位置を推定してもよい。
【発明の効果】
【００１２】
本発明は、一次内挿でも送受信間のチャネルの推定誤差を小さくする無線通信システムを提供することができる。
【発明を実施するための最良の形態】
【００１３】
以下に、本発明を実施するための最良の形態を図面を参照して説明する。
【００１４】
なお、以下の説明において参照する各図では、他の図と同等の部分は同一の符号によって示す。
【００１５】
（第１の実施の形態）
先ず、第１の実施の形態の無線通信システムの構成を説明する。
【００１６】
図１は第１の実施の形態の無線通信システムの構成図である。第１の実施の形態の無線通信システムは、無線通信により信号を送受信するＯＦＤＭ信号送受信システムであって、図１に示すように、送信装置１と、受信装置２とで構成されている。送信装置１は無線通信により信号を送信する装置であり、受信装置２は送信装置１からの信号を受信する装置である。
【００１７】
送信装置１は、パイロット信号・プリアンブル信号付加部１０１と、ＩＦＦＴ（Ｉｎｖｅｒｓｅ  Ｆａｓt  Ｆｏｕｒｉｅｒ  Ｔｒａｎｓｆｏｒｍ）演算器１０２と、ガードインターバル（以下、「ＧＩ」と記す。）付加器１０３と、Ｄ／Ａ変換器１０４と、本線送信アンテナ１０５と、チャネル情報用受信アンテナ１１５と、チャネル情報用Ａ／Ｄ変換器１１６と、パイロット位置制御部１１７とを有する。
【００１８】
受信装置２は、本線受信アンテナ１０６と、Ａ／Ｄ変換器１０７と、ＦＦＴ（Ｆａｓt  Ｆｏｕｒｉｅｒ  Ｔｒａｎｓｆｏｒｍ）演算器１０８と、プリアンブル信号検知器１０９と、チャネル推定部１１０と、除算器１１１と、パイロット信号配置最適制御部１１２と、チャネル情報用Ｄ／Ａ変換器１１３と、チャネル情報用送信アンテナ１１４とを有する。
【００１９】
（送信装置１）
先ず、送信装置１を構成する各部を説明する。
【００２０】
パイロット信号・プリアンブル信号付加部１０１は、送信データ信号ＳＩＮにパイロット信号とプリアンブル信号とを付加して送信信号ＳＳＰを生成し、ＩＦＦＴ演算器１０２に出力する。パイロット信号・プリアンブル信号付加部１０１の詳細について図２を用いて説明する。
【００２１】
図２はパイロット信号・プリアンブル信号付加部１０１の構成図である。図２に示すように、パイロット信号・プリアンブル信号付加部１０１は、ＦＩＦＯ（Ｆｉｒｓｔ  Ｉｎ  Ｆｉｒｓｔ  Ｏｕｔ）２０１と、イネーブル（ＥＮ）生成器２０２と、パイロット信号格納メモリ２０３と、プリアンブル期間イネーブル生成器２０４と、プリアンブル信号格納メモリ２０５と、信号選択器２０６とを有する。
【００２２】
ＦＩＦＯ２０１は、パイロット信号を付加するためのＦＩＦＯメモリであって、イネーブル生成器２０２からの後述するＲＥＮの値に基づいて自らの記憶領域に対して書き込み及び読み出しを行なう。例えば、ＦＩＦＯ２０１は、ＲＥＮの値が‘１’のときのみ、書き込み及び読み出しを実行する。ＦＩＦＯ２０１は、読み出し処理を行なった場合、読み出した信号ＦＩＦＯＯＵＴを信号選択器２０６へ出力する。
【００２３】
イネーブル生成器２０２は、受信装置２から送られてくるパイロット配置情報ＳＰＳＥＴに基づいて、図３に示す真理値表に従い、ＲＥＮの値をＦＩＦＯ２０１へ出力し、ＳＰＥＮの値をパイロット信号格納メモリ２０３と信号選択器２０６とへ出力する。具体的には、パイロット配置情報ＳＰＳＥＴの値が‘１’である場合、イネーブル生成器２０２は値が‘０’であるＲＥＮをＦＩＦＯ２０１へ出力し、値が‘１’であるＳＰＥＮをパイロット信号格納メモリ２０３と信号選択器２０６とへ出力する。他方、パイロット配置情報ＳＰＳＥＴの値が‘０’である場合、イネーブル生成器２０２は値が‘１’であるＲＥＮをＦＩＦＯ２０１へ出力し、値が‘０’であるＳＰＥＮをパイロット信号格納メモリ２０３と信号選択器２０６とへ出力する。
【００２４】
パイロット信号格納メモリ２０３は、自らの記憶領域にあらかじめ格納されていたパイロット信号ＳＰＭＥＭをＳＰＥＮに基づいて読み出し、読み出したパイロット信号ＳＰＭＥＭを信号選択器２０６へ出力する。
【００２５】
プリアンブル期間イネーブル生成器２０４はプリアンブル信号期間にイネーブルを立てる信号ＰＲＥＥＮをプリアンブル信号格納メモリ２０５と信号選択器２０６とへ出力する。
【００２６】
プリアンブル信号格納メモリ２０５は、プリアンブル期間イネーブル生成器２０４からの信号ＰＲＥＥＮの値に応じて、プリアンブル信号ＰＲＥＭＥＭを自らの記憶領域から読み出し、信号選択器２０６へ出力する。プリアンブル信号ＰＲＥＭＥＭは全てのキャリアに対してランダムな信号で、例えばＢＰＳＫ（Ｂｉｎａｒｙ  Ｐｈａｓｅ  Ｓｈｉｆｔ  Ｋｅｙｉｎｇ）変調が行なわれた信号である。また、プリアンブル信号ＰＲＥＭＥＭは受信装置２にとって既知の信号である。
【００２７】
信号選択器２０６は、図４に示す真理値表に従って出力する信号を選択し、出力信号ＳＳＰをＩＦＦＴ演算器１０２へ出力する。すなわち、信号選択器２０６は、プリアンブル期間イネーブル生成器２０４から値が‘１’である信号ＰＲＥＥＮを受け取った場合、図４に示す真理値表に従って、プリアンブル信号格納メモリ２０５からのプリアンブル信号ＰＲＥＭＥＭをＳＳＰとしてＩＦＦＴ演算器１０２へ出力する（図５参照）。イネーブル生成器２０２から値が‘１’であるＳＰＥＮを受け取った場合、信号選択器２０６は、図４に示す真理値表に従って、パイロット信号格納メモリ２０３からのパイロット信号ＳＰＭＥＭをＳＳＰとしてＩＦＦＴ演算器１０２へ出力する（図６参照）。イネーブル生成器２０２から値が‘０’であるＳＰＥＮを受け取った場合、信号選択器２０６は、図４に示す真理値表に従って、ＦＩＦＯ２０１からの信号ＦＩＦＯＯＵＴをＳＳＰとしてＩＦＦＴ演算器１０２へ出力する（図６参照）。
【００２８】
ＩＦＦＴ演算器１０２は、パイロット信号・プリアンブル信号付加部１０１からの送信信号ＳＳＰに対して所定のＦＦＴポイント数に基づいてＩＦＦＴ演算を行ない、周波数軸信号から時間軸信号へ変換することによって得られる信号ＳＩＦＦＴをＧＩ付加器１０３へ出力する。
【００２９】
図１に戻り、ＧＩ付加器１０３は、入力された時間軸信号ＳＩＦＦＴに所定のＧＩ長分のＧＩ信号を付加し、それにより得られる信号ＳＧＩをＤ／Ａ変換器１０４へ出力する。
【００３０】
Ｄ／Ａ変換器１０４は、デジタル信号ＳＧＩをアナログ信号に変換し、それにより得られる送信信号ＳＴＸを本線送信アンテナ１０５に出力する。
【００３１】
本線送信アンテナ１０５からは送信信号ＳＴＸが受信装置２の本線受信アンテナ１０６へ向けて無線により送信される。
【００３２】
なお説明の便宜上、送信装置１を構成するチャネル情報用受信アンテナ１１５、チャネル情報用Ａ／Ｄ変換器１１６、及びパイロット位置制御部１１７については、受信装置２の各構成部を説明した後に説明する。
【００３３】
（受信装置２）
次に、受信装置２を構成する各部について説明する。
【００３４】
送信装置１の本線送信アンテナ１０５からの送信信号ＳＴＸは本線受信アンテナ１０６によって受信され、送信信号ＳＴＸと同じ信号である受信信号ＳＲＸがＡ／Ｄ変換器１０７へ出力される。
【００３５】
Ａ／Ｄ変換器１０７は、受信信号ＳＲＸをデジタル信号に変換し、変換することによって得られる信号ＳＡＤをＦＦＴ演算器１０８とプリアンブル信号検知器１０９とへ出力する。
【００３６】
ＦＦＴ演算器１０８は、信号ＳＡＤに対して所定のＦＦＴポイント数に基づいてＦＦＴ演算を行ない、時間軸信号から周波数軸信号へ変換することによって得られる信号Ｘをチャネル推定部１１０と除算器１１１とパイロット信号配置最適制御部１１２とへ出力する。
【００３７】
プリアンブル信号検知器１０９は、Ａ／Ｄ変換器１０７によって得られるデジタル信号ＳＡＤと送信装置１によって付加されたものと同じプリアンブル信号の時間軸信号とで相関演算を行ない、相関ピークを検出してプリアンブル信号を検知し、検知信号ＰＲＥＤＥＴをパイロット信号配置最適制御部１１２に出力する。
【００３８】
チャネル推定部１１０は、周波数軸信号Ｘから伝送路を推定し、チャネル特性信号Ｈを除算器１１１に出力する。チャネル推定部１１０の詳細について図７を用いて説明する。
【００３９】
図７はチャネル推定部１１０の構成を示すブロック図である。チャネル推定部１１０はＳＰ抽出器３０１と周波数内挿器３０２とを有する。
【００４０】
ＳＰ抽出器３０１は、周波数軸信号に変換された受信信号から、パイロット信号配置情報ＳＰＰＯＳに基づいてパイロット信号を抽出し、周波数内挿器３０２へ出力する。
【００４１】
周波数内挿器３０２は、周波数方向の一次内挿を行ない、それによって得られるチャネル推定信号Ｈを除算器１１１に出力する。
【００４２】
図１に戻り、除算器１１１は、周波数軸信号Ｘをチャネル推定信号Ｈにより除算し、等化した信号ＳＯＵＴを出力する。除算器１１１は例えば式（１）を用いて信号ＳＯＵＴを算出する。
【００４３】
【数１】
2010136055.tif 000003
パイロット信号最適配置制御部１１２は、プリアンブル信号検知器１０９からのプリアンブル信号ＰＲＥＤＥＴから最適なパイロット配置位置ＳＰＰＯＳを推定し、パイロット配置位置ＳＰＰＯＳをチャネル推定部１１０へ出力する。それとともに、パイロット信号最適配置制御部１１２は、チャネル情報ＳＰＩＮＦＯを生成してチャネル情報用Ｄ／Ａ変換器１１３へ出力する。パイロット信号最適配置制御部１１２の詳細について図８を用いて説明する。
【００４４】
図８はパイロット信号最適配置制御部１１２の構成図である。図８に示すように、パイロット信号最適配置制御部１１２は、プリアンブル信号格納メモリ４０１と、パイロット配置器４０２と、一次線形内挿器４０３と、誤差算出器４０４と、同期ワード付加器４０５とを有する。
【００４５】
プリアンブル信号格納メモリ４０１は、プリアンブル検出信号ＰＲＥＤＥＴによってプリアンブル期間の信号Ｘを取り込み、次のプリアンブル期間まで取り込んだ信号を自らの記憶領域から読み出し、読み出した信号ＰＲＥ（ｋ）をパイロット配置器４０２と誤差算出器４０４とへ出力する。
【００４６】
パイロット配置器４０２は、誤差算出器４０４の出力の一次線形内挿誤差Ｅ（ｋ）に基づき、チャネル推定誤差ＥＳＰ（ＳＰｎ）が一定の誤差範囲内に収まるように配置制御を行ない、パイロット配置位置ＳＰＰＯＳをチャネル推定部１１０と同期ワード付加器４０５とへ出力する。パイロット配置器４０２が行なう制御について以下に述べる。
【００４７】
パイロット配置器４０２は、パイロットを配置するキャリアの位置をＳＰｎ（ｎ≧０）とするとき、１パイロット間隔のチャネル推定誤差ＥＳＰ（ｋ）を、例えば式（２）や式（３）により算出する。Ｅ（ｋ）の算出については後述する。
【００４８】
【数２】
2010136055.tif 000004
【００４９】
【数３】
2010136055.tif 000005
次に、パイロット配置器４０２は、図９に示すように、「ＳＰｎ＝ＳＰｎ−１＋１」とし（Ｓ１）、算出したチャネル推定誤差ＥＳＰと許容誤差ＥＴＨＲとを比較し（Ｓ２）、比較結果に応じてパイロット配置位置ＳＰｎを更新する。すなわち、ＥＳＰ（ＳＰｎ−１）＞ＥＴＨＲの場合（Ｓ２でＹｅｓ）、パイロット配置器４０２は動作を終了し、ＥＴＨＲ≧ＥＳＰ（ＳＰｎ−１）の場合（Ｓ２でＮｏ）、「ＳＰｎ＝ＳＰｎ＋１」とパイロット配置位置ＳＰｎを更新する（Ｓ３）。ここで、許容誤差ＥＴＨＲは変調方式により推定精度が異なるため、それに応じて設定される。
【００５０】
図８に戻り、次に、パイロット配置器４０２は、更新したＳＰｎからパイロットキャリア配置位置情報ＳＰＰＯＳを設定する。ＳＰＰＯＳ（ｋ）は、例えば、図１０に示す真理値表により、全キャリアに対してパイロットキャリアを配置するか否かが‘０’や‘１’と設定されたり、又は配置するキャリア番号が設定される。
【００５１】
一次線形内挿器４０３は、ＰＲＥＳＰ（ｋ）でのパイロット位置を用いて一次線形内挿を行ない、内挿結果ＰＲＥＩＴＰ（ｋ）を誤差算出器４０４へ出力する。ＰＲＥＩＴＰ（ｋ）の算出について以下に述べる。
【００５２】
ＰＲＥＩＴＰ（ｋ）は、パイロット配置位置のＳＰｎとＳＰｎ＋１との間を一次線形内挿により算出される。ＰＲＥＩＴＰ（ｋ）は、例えば式（４）により算出される。
【００５３】
【数４】
2010136055.tif 000006
以上の一次内挿の処理を図１１に示す。
【００５４】
誤差算出器４０４は、プリアンブルによるチャネル特性ＰＲＥ（ｋ）と一次線形内挿出力ＰＲＥＩＴＰ（ｋ）との誤差Ｅ（ｋ）をパイロット配置器４０２にフィードバック出力する。誤差Ｅ（ｋ）は、例えば式（５）により算出される。
【００５５】
【数５】
2010136055.tif 000007
ここで、図１２に、第１の実施の形態におけるパイロットキャリア最適化前の例を示し、図１３に、第１の実施の形態におけるパイロットキャリア最適化後の例を示す。図１３では、図１２と比較するとわかるように、パイロットキャリアの配置位置が最適化されており、これにより、一次内挿でも送受信間のチャネルの推定誤差が小さくなる。
【００５６】
図８に戻り、同期ワード付加器４０５は、パイロット配置情報ＳＰＰＯＳに同期ワードを付加し、それにより得られる信号ＳＰＩＮＦＯを、例えばＢＰＳＫ変調してチャネル情報用Ｄ／Ａ変換器１１３へ出力する。
【００５７】
図１に戻り、チャネル情報用Ｄ／Ａ変換器１１３は、チャネル情報ＳＰＩＮＦＯ（ｋ）をアナログ信号に変換し、それにより得られるチャネル用送信信号ＳＰＴＸをチャネル情報用送信アンテナ１１４へ出力する。
【００５８】
チャネル情報用送信アンテナ１１４からは、送信信号ＳＰＴＸが送信装置１のチャネル情報用受信アンテナ１１５へ向けて無線により送信される。
【００５９】
（送信装置１の後半部）
次に、送信装置１を構成するチャネル情報用受信アンテナ１１５、チャネル情報用Ａ／Ｄ変換器１１６、及びパイロット位置制御部１１７について説明する。
【００６０】
受信装置２からのＳＰＴＸは、チャネル情報用受信アンテナ１１５によって受信され、それと同じ信号である信号ＳＰＲＸがチャネル情報用Ａ／Ｄ変換器１１６へ出力される。
【００６１】
チャネル情報用Ａ／Ｄ変換器１１６は、信号ＳＰＲＸをデジタル信号に変換し、それにより得られる信号ＳＰＡＤをパイロット位置制御部１１７へ出力する。
【００６２】
パイロット位置制御部１１７は、送られてきたチャネル情報ＳＰＡＤに基づいて制御信号を生成し、パイロット位置制御情報ＳＰＣＯＮＴをパイロット信号・プリアンブル信号付加部１０１へ出力する。
【００６３】
パイロット位置制御部１１７について図１４を用いて説明する。図１４はパイロット位置制御部１１７の構成図である。
【００６４】
パイロット位置制御部１１７は、図１４に示すように、同期ワード検出器５０１と、パイロット信号配置位置検出器５０２とを有する。
【００６５】
同期ワード検出器５０１は受信装置２によって付加された同期ワードを検出し、同期検出信号ＳＰＳＹＮＣをパイロット信号配置位置検出器５０２へ出力する。
【００６６】
パイロット信号配置位置検出器５０２は、同期検出信号ＳＰＳＹＮＣを基に受信装置２から送られてきた信号を解析し、パイロット信号の最適配置位置情報を含む信号ＳＰＣＯＮＴをパイロット信号・プリアンブル信号付加部１０１へ出力する。
【００６７】
以上説明した第１の実施の形態により、一次線形内挿を用いて最適なチャネル推定結果を得られるパイロットキャリア配置位置を提供することができる。言い換えると、第１の実施の形態により、チャネル推定に簡易な一次内挿を用いてもパイロットキャリア位置をチャネルの特性に合わせて最適な配置にすることにより、高精度なチャネル推定を実行することが可能となる。
【００６８】
なお、パイロット信号・プリアンブル信号付加部１０１は、本発明の無線通信システムの付加手段の一例であり、パイロット位置制御部１１７は、本発明の無線通信システムの変更手段の一例であり、チャネル情報用受信アンテナ１１５は、本発明の無線通信システムの受信手段の一例である。また、パイロット信号配置最適制御部１１２は、本発明の無線通信システムの推定手段の一例であり、チャネル情報用送信アンテナ１１４は、本発明の無線通信システムの送信手段の一例である。
【００６９】
（第２の実施の形態）
次に、第２の実施の形態の無線通信システムの構成を説明する。
【００７０】
図１５は第２の実施の形態の無線通信システムの構成図である。第２の実施の形態の無線通信システムは、第１の実施の形態の無線通信システムと同様のシステムであって、図１５に示すように、送信装置１と、受信装置２Ａとで構成されている。第１の実施の形態と第２の実施の形態との相違点は以下の通りである。すなわち、第１の実施の形態の受信装置２がパイロット信号配置最適制御部１１２を有しているのに対し、第２の実施の形態の受信装置２Ａはパイロット信号配置最適制御部１１２の代わりにパイロット信号配置最適制御部Ａ１１８を有している。この点が、第１の実施の形態と第２の実施の形態との相違点である。その他の部分は第１の実施の形態の場合と同じであり、同じ部分の説明は省略する。
【００７１】
パイロット信号配置最適制御部Ａ１１８は、図１の中のパイロット信号配置最適制御部１１２と同じ構成であるが、パイロットキャリア配置の決め方が異なる。パイロット信号配置最適制御部Ａ１１８について以下に述べる。
【００７２】
パイロット信号配置最適制御部Ａ１１８は、図１６に示すように、初めに０キャリア目のみにパイロットキャリアを配置する。
【００７３】
パイロット信号配置最適制御部Ａ１１８は、図１７に示すように、０キャリア目から図９に示す方法と同じ方法でパイロット配置位置ＳＰ１を探索する。同様に、パイロット信号配置最適制御部Ａ１１８は、ＳＰ１キャリア目からパイロット配置位置ＳＰ２を探索する。
【００７４】
以上の動作を繰り返して、パイロット信号配置最適制御部Ａ１１８は、図１８に示すようなパイロットキャリア配置位置を決定する。
【００７５】
以上説明した第２の実施の形態により、０キャリア目から順にパイロット信号の数を必要かつ十分な数に増加させて最適なチャネル推定結果を得られるパイロットキャリア配置位置を探索し、最適なパイロットキャリア配置位置を提供することができる。
【００７６】
なお、パイロット信号配置最適制御部Ａ１１８は、本発明の無線通信システムの推定手段の一例である。
【００７７】
（第３の実施の形態）
次に、第３の実施の形態の無線通信システムの構成を説明する。
【００７８】
図１９は第３の実施の形態の無線通信システムの構成図である。第３の実施の形態の無線通信システムは、第１の実施の形態の無線通信システムと同様のシステムであって、図１９に示すように、送信装置１と、受信装置２Ｂとで構成されている。第１の実施の形態と第３の実施の形態との相違点は以下の通りである。すなわち、第１の実施の形態の受信装置２がパイロット信号配置最適制御部１１２を有しているのに対し、第２の実施の形態の受信装置２Ｂはパイロット信号配置最適制御部１１２の代わりにパイロット信号配置最適制御部Ｂ１１９を有している。この点が、第１の実施の形態と第３の実施の形態との相違点である。その他の部分は第１の実施の形態の場合と同じであり、同じ部分の説明は省略する。
【００７９】
パイロット信号配置最適制御部Ｂ１１９は、図１の中のパイロット信号配置最適制御部１１２と同じ構成であるが、パイロットキャリア配置の決め方が異なる。パイロット信号配置最適制御部Ｂ１１９について以下に述べる。
【００８０】
パイロット信号配置最適制御部Ｂ１１９は、図２０に示すように、あらかじめ全キャリアにパイロットキャリアを配置する。
【００８１】
パイロット信号配置最適制御部Ｂ１１９は、図２１に示すように、０キャリア目から図９に示す方法と同じ方法でパイロット配置位置ＳＰ１を探索する。そして、パイロット信号配置最適制御部Ｂ１１９は、ＳＰ０＜ｋ＜ＳＰ１のキャリアｋをデータキャリアに配置する。同様に、パイロット信号配置最適制御部Ｂ１１９は、ＳＰｎ＜ｋ＜ＳＰｎ＋１となるようなキャリアｋをデータキャリアに配置する。
【００８２】
以上の動作を繰り返して、パイロット信号配置最適制御部Ｂ１１９は、図２２に示すようなパイロットキャリア配置位置を決定する。
【００８３】
以上説明した第３の実施の形態により、初期状態に全キャリアにパイロットキャリアを配置し、不要なパイロットキャリアをデータキャリアに置き換えていくことで、高精度なチャネル推定を維持したまま最適なパイロットキャリア配置位置を提供することができる。
【００８４】
なお、パイロット信号配置最適制御部Ｂ１１９は、本発明の無線通信システムの推定手段の一例である。
【００８５】
上述した各実施の形態から明らかなように、本発明が解決しようとする課題は、下記の送信装置と受信装置とのサブコンビネーションにより解決される。
【００８６】
すなわち、送信装置は、無線通信により信号を送信する装置であって、自装置によって送信される信号のチャネルを受信装置が推定するために使用するパイロットシンボルと前記受信装置にとって既知のプリアンブルシンボルとを送信データに付加する付加手段と、受信装置によって送信される最適配置位置の情報を受信する受信手段と、前記受信手段によって受信される前記最適配置位置の情報に応じて前記付加手段によって付加される前記パイロットシンボルの配置位置を変更する変更手段とを備える。
【００８７】
他方、受信装置は、送信装置からの信号を受信する装置であって、前記送信装置によって付加される前記プリアンブルシンボルから前記送信装置によって送信される信号のチャネルの推定結果が最適になるような前記パイロットシンボルの配置位置を推定する推定手段と、前記推定手段によって推定される前記パイロットシンボルの最適配置位置の情報を前記送信装置に送信する送信手段とを備える。
【図面の簡単な説明】
【００８８】
【図１】第１の実施の形態の無線通信システムの構成図
【図２】パイロット信号・プリアンブル信号付加部１０１の構成図
【図３】イネーブル生成器２０２の真理値表を示す図
【図４】信号選択器２０６の真理値表を示す図
【図５】プリアンブル期間の例を示す図
【図６】パイロットキャリア付加の例を示す図
【図７】チャネル推定部１１０の構成を示すブロック図
【図８】パイロット信号最適配置制御部１１２の構成図
【図９】パイロット信号配置位置更新の例を示すフローチャート
【図１０】パイロット配置位置情報設定の真理値表例を示す図
【図１１】一次線形内挿を説明する図
【図１２】第１の実施の形態におけるパイロットキャリア最適化前の例を示す図
【図１３】第１の実施の形態におけるパイロットキャリア最適化後の例を示す図
【図１４】パイロット位置制御部１１７の構成図
【図１５】第２の実施の形態の無線通信システムの構成図
【図１６】第２の実施の形態におけるパイロットキャリア最適化前の例を示す図
【図１７】第２の実施の形態におけるパイロットキャリア最適化途中の例を示す図
【図１８】第２の実施の形態におけるパイロットキャリア最適化後の例を示す図
【図１９】第３の実施の形態の無線通信システムの構成図
【図２０】第３の実施の形態におけるパイロットキャリア最適化前の例を示す図
【図２１】第３の実施の形態におけるパイロットキャリア最適化途中の例を示す図
【図２２】第３の実施の形態におけるパイロットキャリア最適化後の例を示す図
【符号の説明】
【００８９】
１  送信装置
２，２Ａ，２Ｂ  受信装置
１０１  パイロット信号・プリアンブル信号付加部
１０２  ＩＦＦＴ演算器
１０３  ＧＩ付加器
１０４  Ｄ／Ａ変換器
１０５  本線送信アンテナ
１０６  本線受信アンテナ
１０７  Ａ／Ｄ変換器
１０８  ＦＦＴ演算器
１０９  プリアンブル信号検知器
１１０  チャネル推定部
１１１  除算器
１１２  パイロット信号配置最適制御部
１１３  チャネル情報用Ｄ／Ａ変換器
１１４  チャネル情報用送信アンテナ
１１５  チャネル情報用受信アンテナ
１１６  チャネル情報用Ａ／Ｄ変換器
１１７  パイロット位置制御部
１１８  パイロット信号配置最適制御部Ａ
１１９  パイロット信号配置最適制御部Ｂ
２０１  ＦＩＦＯ
２０２  イネーブル生成器
２０３  パイロット信号格納メモリ
２０４  プリアンブル期間イネーブル生成器
２０５  プリアンブル信号格納メモリ
２０６  信号選択器
３０１  ＳＰ抽出器
３０２  周波数内挿器
４０１  プリアンブル信号格納メモリ
４０２  パイロット配置器
４０３  一次線形内挿器
４０４  誤差算出器
４０５  同期ワード付加器
５０１  同期ワード検出器
５０２  パイロット信号配置位置検出器
【図１】
2010136055.tif 000008
【図２】
2010136055.tif 000009
【図３】
2010136055.tif 000010
【図４】
2010136055.tif 000011
【図５】
2010136055.tif 000012
【図６】
2010136055.tif 000013
【図７】
2010136055.tif 000014
【図８】
2010136055.tif 000015
【図９】
2010136055.tif 000016
【図１０】
2010136055.tif 000017
【図１１】
2010136055.tif 000018
【図１２】
2010136055.tif 000019
【図１３】
2010136055.tif 000020
【図１４】
2010136055.tif 000021
【図１５】
2010136055.tif 000022
【図１６】
2010136055.tif 000023
【図１７】
2010136055.tif 000024
【図１８】
2010136055.tif 000025
【図１９】
2010136055.tif 000026
【図２０】
2010136055.tif 000027
【図２１】
2010136055.tif 000028
【図２２】
2010136055.tif 000029